(57)【特許請求の範囲】
【請求項１】
見学可能な不動産物件の名称を示す物件名情報に、見学可能な日時を示す日時情報が関連付けられて見学会情報とし、前記物件名情報に、不動産物件の所在地を示す物件住所情報および住宅会社が関連付けられて見学会詳細情報として格納されると共に、建築事例を示す事例情報が含まれる住宅会社に関する情報が格納される記憶手段と、
前記見学可能な不動産物件を探す見学希望者が操作する端末装置に、月単位のカレンダが表示されるスケジュール情報ページであり、前記日時情報に基づいて見学可能な物件数を見学可能な日に対応させて前記カレンダに表示するスケジュール情報ページに、前記端末装置により、前記住宅会社の頭文字を五十音順で選択させるための索引ボタンを含めて送信するカレンダ情報提供手段と、
前記スケジュール情報ページの月単位のカレンダに表示された見学可能な日から、前記端末装置により選択された見学希望日に基づいて、前記記憶手段から前記見学希望日に対応する前記見学会情報を読み出して表示する見学会情報ページを、前記スケジュール情報ページに重ねるように送信すると共に、前記見学会情報ページに、前記見学会詳細情報を追加して送信する見学会情報提供手段と、
前記端末装置により前記索引ボタンが選択されると、選択された前記索引ボタンに対応する頭文字の住宅会社に関する情報を、前記記憶手段から読み出し、住宅会社案内ページとして送信する会社情報提供手段とを備えた不動産物件紹介支援装置。
【請求項２】
前記記憶手段には、更に、前記物件名情報に、不動産物件の所在地を示す物件住所情報と、不動産物件の外観の写真である写真情報とが関連付けられ、前記見学会詳細情報に含めて格納され、
前記見学会情報提供手段は、前記見学会情報ページに、前記見学会詳細情報を追加して送信する請求項１記載の不動産物件紹介支援装置。
【請求項３】
前記記憶手段には、住宅に関する電子書籍である書籍情報が格納され、
前記カレンダ情報提供手段は、前記書籍情報を示す書籍画像を、前記スケジュール情報ページに含めて提供する機能を備え、
前記端末装置により前記電子書籍の購読の指示を示す前記書籍画像が押下されると、前記記憶手段から前記書籍情報を読み出し、電子書籍閲覧ページとして送信する電子書籍情報提供手段を備えた請求項１または２記載の不動産物件紹介支援装置。
【請求項４】
コンピュータを、
見学可能な不動産物件の名称を示す物件名情報に、見学可能な日時を示す日時情報が関連付けられて見学会情報とし、前記物件名情報に、不動産物件の所在地を示す物件住所情報および住宅会社が関連付けられて見学会詳細情報として格納されると共に、建築事例を示す事例情報が含まれる住宅会社に関する情報が格納される記憶手段、
前記見学可能な不動産物件を探す見学希望者が操作する端末装置に、月単位のカレンダが表示されるスケジュール情報ページであり、前記日時情報に基づいて見学可能な物件数を見学可能な日に対応させて前記カレンダに表示するスケジュール情報ページに、前記端末装置により、前記住宅会社の頭文字を五十音順で選択させるための索引ボタンを含めて送信するカレンダ情報提供手段、
前記スケジュール情報ページの月単位のカレンダに表示された見学可能な日から、前記端末装置により選択された見学希望日に基づいて、前記記憶手段から前記見学希望日に対応する前記見学会情報を読み出して表示する見学会情報ページを、前記スケジュール情報ページに重ねるように送信すると共に、前記見学会情報ページに、前記見学会詳細情報を追加して送信する見学会情報提供手段、
前記端末装置により前記索引ボタンが選択されると、選択された前記索引ボタンに対応する頭文字の住宅会社に関する情報を、前記記憶手段から読み出し、住宅会社案内ページとして送信する会社情報提供手段として機能させる不動産物件紹介支援プログラム。
【発明の詳細な説明】
【技術分野】
【０００１】
本発明は、見学可能な不動産物件を案内する不動産物件紹介支援装置および不動産物件紹介支援プログラムに関するものである。
【背景技術】
【０００２】
不動産物件を購入するときには高額であるため、購入予定者は慎重に検討する。特に、住宅の購入を予定する者は、展示会や内覧会（見学会）により実際の家を見学して、家の間取りなどの参考にする。しかし、見学会がいつ、どこで開催されているかを把握するためには、住宅メーカに問い合わせする必要があり、煩雑である。例えば、見学会を紹介するものが特許文献１として知られている。
特許文献１に記載の「建物情報管理・提供システム」は、「ご覧になりたいメニュー」にて、項目選択枠が表示されると、建物の間取り、建物の種類、場所、コスト等を選択すると共に、「太陽光発電装置」の設備や「ソーラーウオール」や「高耐久タイル外壁」等の構造を選択し、見学の希望日をカレンダの中から選択することで、登録されたユーザー邸の中から、購入検討者が見学を希望する対象に近いものや合うものを抽出するというものである。
【先行技術文献】
【特許文献】
【０００３】
【特許文献１】特開２００５−３４６６４１号公報
【発明の概要】
【発明が解決しようとする課題】
【０００４】
しかし、この特許文献１に記載の「建物情報管理・提供システム」では、見学希望の条件を入力すると共に、日付を決めて入力するため、該当の条件に合致したユーザー邸があっても、見学希望日に見学可能な物件が登録されているは限らないため、見学希望日に見学可能な物件が抽出できないおそれがある。そうなると、物件が抽出できる日まで日付をずらして検索する必要があり、操作が煩雑である。また、いくつか見学希望日がある場合でも、一つ一つ検索する必要があり、予定が立て難い。
【０００５】
そこで本発明は、不動産物件の見学可能日をひと目で把握することができることにより、見学予定のスケジュール容易に立てることが可能な不動産物件紹介支援装置および不動産物件紹介支援プログラムを提供することを目的とする。
【課題を解決するための手段】
【０００６】
本発明の不動産物件紹介支援装置は、見学可能な不動産物件の名称を示す物件名情報に、見学可能な日時を示す日時情報が関連付けられ、見学会情報として格納される記憶手段と、前記見学可能な不動産物件を探す見学希望者が操作する端末装置に、月単位のカレンダが表示されると共に、前記日時情報に基づいて見学可能な物件数を見学可能な日に対応させて表示するスケジュール情報ページを送信するカレンダ情報提供手段と、前記スケジュール情報ページの月単位のカレンダに表示された見学可能な日から、前記端末装置により選択された見学希望日に基づいて、前記記憶手段から前記見学希望日に対応する前記見学会情報を読み出して表示する見学会情報ページを送信する見学会情報提供手段とを備えたことを特徴とする。
【０００７】
また、本発明の不動産物件紹介支援プログラムは、コンピュータを、見学可能な不動産物件の名称を示す物件名情報に、見学可能な日時を示す日時情報が関連付けられ、見学会情報として格納される記憶手段、前記見学可能な不動産物件を探す見学希望者が操作する端末装置に、月単位のカレンダが表示されると共に、前記日時情報に基づいて見学可能な物件数を見学可能な日に対応させて表示するスケジュール情報ページを送信するカレンダ情報提供手段、前記スケジュール情報ページの月単位のカレンダに表示された見学可能な日から、前記端末装置により選択された見学希望日に基づいて、前記記憶手段から前記見学希望日に対応する前記見学会情報を読み出して表示する見学会情報ページを送信する見学会情報提供手段として機能させることを特徴とする。
【０００８】
本発明によれば、見学希望者は、まず、カレンダ情報提供手段によるスケジュール情報ページに月単位で表示されたカレンダを見ることで、見学可能な日における見学可能な物件数がひと目で理解できるため、見学希望日を直感的に決定することができる。また、見学希望日を選択することで、見学会情報ページにより物件名情報と日時情報とが参照できるため、見学希望者は、見学会に参加できるか否かを判断することができる。
【０００９】
前記記憶手段には、更に、前記物件名情報に、不動産物件の所在地を示す物件住所情報と、不動産物件の外観の写真である写真情報とが関連付けられ、見学会詳細情報として格納され、前記見学会情報提供手段は、前記見学会情報ページに、前記見学会詳細情報を追加して送信することが望ましい。
見学会情報提供手段が、見学会情報ページに、不動産物件の所在地を示す物件住所情報と、不動産物件の外観の写真である写真情報などの見学会詳細情報を追加するため、見学希望者は希望に合致したものか否かを判断することができる。
【００１０】
前記記憶手段には、住宅会社に関する情報が格納され、前記カレンダ情報提供手段は、前記端末装置により、前記住宅会社の頭文字を五十音順で選択させるための索引ボタンを、前記スケジュール情報ページに含めて提供する機能を備え、前記端末装置により前記索引ボタンが選択されると、選択された前記索引ボタンに対応する頭文字の住宅会社に関する情報を、前記記憶手段から読み出し、住宅会社案内ページとして送信する会社情報提供手段を備えていることが望ましい。
スケジュール情報ページの索引ボタンの中から、知りたい住宅会社の頭文字に対応する索引ボタンを押下することで、住宅会社の詳細を知ることができるので、住宅会社に関する詳細な情報を容易に入手することができる。
【００１１】
前記記憶手段には、住宅に関する電子書籍である書籍情報が格納され、前記カレンダ情報提供手段は、前記書籍情報を示す書籍画像を、前記スケジュール情報ページに含めて提供する機能を備え、前記端末装置により前記電子書籍の購読の指示を示す前記書籍画像が押下されると、前記記憶手段から前記書籍情報を読み出し、電子書籍閲覧ページとして送信する電子書籍情報提供手段を備えていることが望ましい。
電子書籍情報提供手段が、電子書籍の閲覧ができる電子書籍閲覧ページを端末装置に送信することで、見学希望者は、更に不動産物件についての知識を得ることができる。
【発明の効果】
【００１２】
本発明は、見学希望日を直感的に決定することができ、見学会に参加できるか否かを判断することができるため、見学予定のスケジュール容易に立てることが可能である。
【図面の簡単な説明】
【００１３】
【図１】本発明の実施の形態に係る不動産物件紹介支援装置と、この不動産物件紹介支援装置にインターネットを介して接続された端末装置とを示す図である。
【図２】図１に示す不動産物件紹介支援装置の構成を説明するためのブロック図である。
【図３】スケジュール情報ページの一例を示す図である。
【図４】見学会情報ページの一例を示す図である。
【図５】見学会チラシページの一例を示す図である。
【図６】住宅会社案内ページの一例を示す図である。
【図７】電子書籍閲覧ページの一例を示す図である。
【発明を実施するための形態】
【００１４】
本発明の実施の形態に係る不動産物件紹介支援装置について図面に基づいて説明する。本実施の形態では、不動産物件として住宅を例に説明する。
図１に示すように、不動産物件紹介支援装置１０は、電気通信回線の一例であるインターネットＷを介して、見学可能な住宅を探す見学希望者が操作する端末装置Ｔ１〜Ｔ３と接続されている。
【００１５】
不動産物件紹介支援装置１０は、不動産物件紹介支援プログラムが動作するコンピュータである。不動産物件紹介支援装置１０は、インターネットＷを介して不動産物件を紹介する物件紹介サイトを提供する。
端末装置Ｔ１〜Ｔ３は、インターネットＷを介して不動産物件紹介支援装置１０が提供する物件紹介サイトが閲覧可能なブラウザが動作するコンピュータである。端末装置Ｔ１〜Ｔ３は、スマートフォン、デスクトップ型、ノートブック型、タブレット型などのコンピュータとすることができる。
【００１６】
図２に示すように、不動産物件紹介支援装置１０は、通信手段１１と、カレンダ情報提供手段１２と、見学会情報提供手段１３と、会社情報提供手段１４と、電子書籍情報提供手段１５と、記憶手段１６とを備えている。
【００１７】
通信手段１１は、インターネットＷを介して端末装置Ｔ１〜Ｔ３との通信を行うものである。
カレンダ情報提供手段１２は、スケジュール情報ページを送信する機能を備えている。見学会情報提供手段１３は、見学会情報ページを送信する機能を備えている。会社情報提供手段１４は、住宅会社案内ページを送信する機能を備えている。電子書籍情報提供手段１５は、電子書籍閲覧ページを送信する機能を備えている。
【００１８】
記憶手段１６は、多数の情報が格納できるハードディスクドライブやフラッシュメモリとすることができる。記憶手段１６は、見学会情報、住宅会社に関する情報、住宅に関する電子書籍である書籍情報、不動産に関する新規な情報、その他各種の情報が格納されている。
【００１９】
見学会情報は、見学可能な不動産物件の名称を示す物件名情報に、見学可能な日時を示す日時情報と、見学会詳細情報と、見学会チラシ情報が関連付けられたものである。日時情報は、年月日および見学会が開催されている時間帯とすることができるが、見学会開催時間とすることもできる。
見学会詳細情報は、不動産物件の所在地を示す物件住所情報、不動産物件の外観の写真である写真情報、問い合わせ先を示す連絡先情報などが含まれる。問い合わせ先を示す連絡先情報は、電話番号とすることができるが、住宅会社、担当者名を含めることができる。
見学会チラシ情報は、不動産物件の名称や、開催日、開催時間帯、見学会の紹介文の他に、住宅の内観写真、見学会の開催場所（不動産物件の所在地）を示す地図などが掲載されたチラシイメージのページ情報を含めることができる。
【００２０】
住宅会社に関する情報は、名称を示す会社名情報、所在地を示す会社住所情報、電話番号を示す電話番号情報、ホームページのアドレスを示すＵＲＬ情報、設立年を示す設立年情報、資本金を示す資本金情報、広告などの付帯情報を示す備考情報などが含まれる。
更に、住宅会社に関する情報は、建築事例を示す事例情報、見学会の予定を示す見学会予定情報、住宅会社の経営健全性や裁判となったトラブルなどを調査したレポートを示すレポート情報などが含まれる。
書籍情報には、住宅に関する各種の記事が掲載されている。
不動産に関する新規な情報は、住宅会社からのお知らせや、住宅ローンに関する情報などが含まれる。
【００２１】
以上のように構成された本発明の実施の形態に係る不動産物件紹介支援装置の動作および使用状態を図面に基づいて説明する。
例えば、スマートフォンである図１に示す端末装置Ｔ１から、不動産物件紹介支援装置１０が提供する物件紹介サイトのアドレスへページ送信を要求する。
【００２２】
不動産物件紹介支援装置１０では、ページ送信の要求を、カレンダ情報提供手段１２が通信手段１１を介して受信する。カレンダ情報提供手段１２は、図３に示すように、月単位のカレンダＰ１１が左領域に表示されると共に、日時情報に基づいて、これを計数して見学可能な物件数Ｐ１２を見学可能な日に対応させて表示するスケジュール情報ページＰ１を生成して、端末装置Ｔ１に送信する。
図３におけるカレンダＰ１１では、１１月８日が１０件、２９日が３件であることを示している。
【００２３】
このとき、カレンダ情報提供手段１２は、端末装置Ｔ１により、住宅会社の頭文字を五十音順で選択させるための索引ボタンＰ１３を、スケジュール情報ページＰ１の下領域に含めて提供する。また、カレンダ情報提供手段１２は、書籍情報を示す書籍画像Ｐ１４を、スケジュール情報ページＰ１の右領域に含めて提供する。更に、カレンダ情報提供手段１２は、不動産に関する新規な情報を記憶手段１６から最近のものを抽出して、新着情報Ｐ１５として中央領域に含めて提供する。
【００２４】
このようなスケジュール情報ページＰ１がブラウザにより表示された端末装置Ｔ１では、見学希望者が端末装置Ｔ１を操作して、スケジュール情報ページＰ１の月単位のカレンダＰ１１に表示された物件数Ｐ１２が付記された見学可能な日から、見学希望日（例えば、１１月２９日。）を選択する。
端末装置Ｔ１から見学希望日の選択が不動産物件紹介支援装置１０へ通知されると、見学会情報提供手段１３は、スケジュール情報ページＰ１の月単位のカレンダに表示された見学可能な日から、端末装置Ｔ１により選択された見学希望日（１１月２９日）に基づいて、記憶手段１６から見学希望日に対応する見学会情報を読み出し、物件名情報と日時情報とを表示する見学会情報ページを端末装置Ｔ１に送信する。
更に、見学会情報提供手段１３は、見学会情報ページに、見学会詳細情報を追加して送信する。
【００２５】
図４は、スケジュール情報ページＰ１の右端から出現した見学会情報ページＰ２が、端末装置Ｔ１に表示された状態である。
見学会情報ページＰ２には、日付と、３つの見学会Ｐ２１とが表示されている。見学会Ｐ２１では、物件名情報である「イベント名」、日時情報である「時間帯」、物件住所情報である「所在地」と、写真情報である住宅の写真、連絡先情報である「連絡先」が表示されている。また、見学会情報ページＰ２には、見学会の詳細な情報を閲覧するための「詳細を見る」と表示された詳細ボタンＰ２２が表示されている。
【００２６】
詳細ボタンＰ２２が押下されると、見学会情報提供手段１３は、記憶手段１６から見学会チラシ情報を読み出し、端末装置Ｔ１へ送信する。
図５は、スケジュール情報ページＰ１と、見学会情報ページＰ２とに重畳するように出現した見学会チラシページＰ３が、端末装置Ｔ１に表示された状態である。
見学会チラシページＰ３では、見学会の開催場所を示す地図が表示されているため、見学希望者は開催場所を容易に把握することができる。
【００２７】
見学会チラシページＰ３の表示を終了するときには、見学希望者は端末装置Ｔ１を操作して、見学会チラシページＰ３の左上に表示された「×」マークにより示された終了ボタンＰ３１を押下する。この操作により図４に示すスケジュール情報ページＰ１に見学会情報ページＰ２が重なった表示に戻る。
【００２８】
このように、見学希望者は、まず、スケジュール情報ページＰ１に月単位で表示されたカレンダＰ１１を見ることで、見学可能な日における見学可能な物件数Ｐ１２がひと目で理解できるため、見学希望日を直感的に決定することができる。また、見学希望日を選択することで、見学会情報ページＰ２により物件名情報と日時情報とが参照できるため、見学希望者は、見学会に参加できるか否かを判断することができる。従って、不動産物件紹介支援装置１０は、不動産物件の見学可能日をひと目で把握することができることにより、見学予定のスケジュール容易に立てることが可能である。
【００２９】
また、見学会情報提供手段１３が、見学会情報ページＰ２に、不動産物件の所在地を示す物件住所情報と、不動産物件の外観の写真である写真情報などの見学会詳細情報を追加するため、見学希望者は希望に合致したものか否かを判断することができる。
【００３０】
見学会情報ページＰ２の表示を終了するときには、見学希望者は端末装置Ｔ１を操作して、見学会情報ページＰ２の右上に表示された「×」マークにより示された終了ボタンＰ２３を押下する。この操作により図３に示すスケジュール情報ページＰ１が表示された状態に戻る。
【００３１】
次に、見学希望者が、見学会情報ページＰ２を閲覧して、住宅会社について知りたいと思ったときには、見学希望者が端末装置Ｔ１を操作して、スケジュール情報ページＰ１のア行〜ワ行を示す索引ボタンＰ１３の中から、知りたい住宅会社の頭文字に対応する索引ボタンＰ１３を押下する。
【００３２】
端末装置Ｔ１から索引ボタンＰ１３の押下が通知されると、会社情報提供手段１４は、選択された索引ボタンＰ１３に対応する頭文字の住宅会社に関する情報を、記憶手段１６から読み出し、住宅会社案内ページとして送信する。
図６は、スケジュール情報ページＰ１の中央部に重畳するように飛び出した住宅会社案内ページＰ４が、端末装置Ｔ１に表示された状態である。
住宅会社案内ページＰ４には、会社名情報である「社名」、会社住所情報である「所在地」、電話番号情報である「電話番号」、ＵＲＬ情報である「ＵＲＬ」、設立年情報である「設立」、資本金情報である「資本金」、備考情報である「備考」が表示されている。また、住宅会社案内ページＰ４には、事例情報を閲覧するための「事例」ボタンＰ４１、見学会予定情報を閲覧するための「完成見学会」ボタンＰ４２、レポート情報を閲覧するための「調査レポート」ボタンＰ４３が表示されている。
【００３３】
見学希望者は、住宅会社案内ページＰ４を閲覧することにより、住宅会社の基本的な情報や規模、アピールなどの情報を得ることができる。
また、見学希望者は、端末装置Ｔ１を操作して「事例」ボタンＰ４１を押下することで、建築事例を別ウィンドウで閲覧することができるので、住宅会社がどのような住宅を建築していたのかを知ることができる。
見学希望者は、端末装置Ｔ１を操作して「完成見学会」ボタンＰ４２を押下することで、見学会の予定が表示されるので、見学会の予定を住宅会社で絞り込んで知ることができる。
更に、見学希望者は、端末装置Ｔ１を操作して「調査レポート」ボタンＰ４３を押下することで、調査会社が調査した情報を閲覧することができるので、住宅会社の事情をより深く知ることができる。
【００３４】
住宅会社案内ページＰ４の表示を終了するときには、見学希望者は端末装置Ｔ１を操作して、住宅会社案内ページＰ４の右上に表示された「×」マークにより示された終了ボタンＰ４４を押下する。この操作により図３に示すスケジュール情報ページＰ１が表示された状態に戻る。
【００３５】
このように、スケジュール情報ページＰ１のア行〜ワ行を示す索引ボタンＰ１３の中から、知りたい住宅会社の頭文字に対応する索引ボタンＰ１３を押下することで、住宅会社の詳細を知ることができるので、住宅会社に関する詳細な情報を容易に入手することができ、他の住宅会社と容易に比較することができる。
【００３６】
次に、見学希望者が、端末装置Ｔ１を操作して、電子書籍の購読の指示を示す操作である、図３に示すスケジュール情報ページＰ１の右領域に位置する書籍画像Ｐ１４を押下する。
端末装置Ｔ１から書籍画像Ｐ１４の押下が通知されると、電子書籍情報提供手段１５は、電子書籍閲覧ページを送信する。
図７に示す電子書籍閲覧ページＰ５では、ＰＤＦ形式のファイルになった電子書籍をページフリップ可能とするサイトで表示することで、あたかも書籍のページを捲るように電子書籍を読むことができる。
このように、電子書籍情報提供手段１５が、電子書籍の閲覧ができる電子書籍閲覧ページＰ５を端末装置Ｔ１に送信することで、見学希望者は、更に不動産物件についての知識を得ることができると共に、不動産物件を所有するという夢を膨らませることができる。
【００３７】
住宅を購入しようとする購入予定者は、一世一代の大きな買い物、絶対に失敗はできない、という思いがあるため、購入予定者は、テレビＣＭ、雑誌（専門誌、フリーペーパーなど）、インターネット、口コミなどから情報を入手している。しかし、現状では、情報不足の状態で、購入せざるを得ない状況である。それは、住宅の比較検討を行うのに、購入予定者を満足させる情報源がないためである。
そもそも、一般的な購入予定者は、地域で住宅を提供している会社（以下、住宅会社と称する。）がいくつあるのかも知らないのが実情である。例えば、電話帳に掲載されている住宅会社を見ただけでは、その住宅会社がどのような会社であるか、購入予定者は見当がつかないものである。
【００３８】
どのような住宅会社がどのような住宅を提供しているのかを購入予定者が把握するために、全ての住宅会社のホームページをそれぞれに閲覧することが考えられるが、現実的では無い。
たまたまテレビＣＭを見たから、たまたまフリーペーパーに掲載されていた完成見学会を見に行ったから、という程度で、住宅会社を決めてしまうと、購入予定者にとってベストな家づくりなのか否かは、本人すら分からないものである。更に、一般の購入予定者に住宅会社の与信などは知る術がない。「家を建てた住宅会社が倒産し、メンテナンスができない」、「裁判トラブルが多い会社とは知らなかった」など、購入予定者が家を建ててから後悔しないためには情報が必要である。
【００３９】
そこで、不動産物件紹介支援装置１０が提供する物件紹介サイトは、それらの問題を解決する一助となるものである。物件紹介サイトでは、地域で展開している住宅会社の企業情報を網羅することで、見学会が参照できるカレンダで、購入予定者がよいと思えた見学会に見に行く計画が立てられる。また、物件紹介サイトでは、住宅会社の経営健全性や裁判トラブルなどの事例などの情報や、電子書籍の事例集などを提供することにより、購入予定者は、どの住宅会社がどんな家を建てているのかが確認できる。このように、物件紹介サイトでは、それらの情報が一元管理されている。
【００４０】
つまり、この物件紹介サイトに家づくりのあらゆる情報が集約されているため、不動産物件紹介支援装置１０が提供する物件紹介サイトは、家づくり、住宅購入の出発点とすることができ、住宅購入（住宅建設）の利便性を向上させることができる。
【産業上の利用可能性】
【００４１】
本発明の不動産物件紹介支援装置および不動産物件紹介支援プログラムは、住宅だけでなく、土地、施設など購入する際に、見学会が開催できる不動産物件であれば物件の紹介に好適に用いることができる。
【符号の説明】
【００４２】
１０  不動産物件紹介支援装置
１１  通信手段
１２  カレンダ情報提供手段
１３  見学会情報提供手段
１４  会社情報提供手段
１５  電子書籍情報提供手段
１６  記憶手段
Ｐ１  スケジュール情報ページ
Ｐ１１  カレンダ
Ｐ１２  物件数
Ｐ１３  索引ボタン
Ｐ１４  書籍画像
Ｐ１５  新着情報
Ｐ２  見学会情報ページ
Ｐ２１  見学会
Ｐ２２  詳細ボタン
Ｐ２３  終了ボタン
Ｐ３  見学会チラシページ
Ｐ３１  終了ボタン
Ｐ４  住宅会社案内ページ
Ｐ４１  「事例」ボタン
Ｐ４２  「完成見学会」ボタン
Ｐ４３  「調査レポート」ボタン
Ｐ４４  終了ボタン
Ｐ５  電子書籍閲覧ページ
Ｔ１，Ｔ２，Ｔ３  端末装置
Ｗ  インターネット
【図１】
0006656915.tif 000002
【図２】
0006656915.tif 000003
【図３】
0006656915.tif 000004
【図４】
0006656915.tif 000005
【図５】
0006656915.tif 000006
【図６】
0006656915.tif 000007
【図７】
0006656915.tif 000008